(57)【要約】      （修正有）【課題】洗濯したマスクを乾かす為に吊下げることが出来るマスク用ハンガーを提供する。【解決手段】２つ折りしたマスク６の中央部７が係止するように滑らかな凸状に湾曲したマスク係止部２を有し、マスク係止部の一方端を屈曲して連結部を中央側へ延ばし、連結部の先端には上方へ延びるカギ部を設け、マスク係止部と連結部との間にはマスク中央部が挿入出来る隙間５を形成している。【選択図】図２
0003230344.tif 000002
【実用新案登録請求の範囲】
【請求項１】
洗濯したマスクを乾かす為に吊下げることが出来るマスク用ハンガーにおいて、２つ折りしたマスクの中央部が係止するように滑らかな凸状に湾曲したマスク係止部を有し、マスク係止部の一方端を屈曲して連結部を中央側へ延ばし、連結部の先端には上方へ延びるカギ部を設け、マスク係止部と連結部との間にはマスク中央部が挿入出来る隙間を形成したことを特徴とするマスク用ハンガー。
【請求項２】
滑らかな凸状に湾曲した上記マスク係止部を、変形可能な樹脂を用いて成形した請求項１記載のマスク用ハンガー。
【請求項３】
上記連結部とカギ部の境界には識別するシールを貼り付けるプレートを備えた請求項１、又は請求項２記載のマスク用ハンガー。
【考案の詳細な説明】
【技術分野】
【０００１】
本考案はマスクを洗濯した場合、そのマスクを乾燥する手段として吊下げることが出来るマスク用ハンガーに関するものである。
【背景技術】
【０００２】
最近では新型コロナが世界的に流行し、その為にもマスクの着用が日常化している。マスクにも色々な種類があり、２〜３回使って捨てる使い捨てマスクもあり、又は汚れたならば洗濯して再度使用するタイプのマスクも知られている。
ところで、洗濯したマスクを乾かすに際し、その吊り方が迷ってしまい、各自色々な吊下げを行っている。
【０００３】
図５はマスク（イ）を洗濯ハサミなどの吊り具（ロ）に係止して吊下げている場合であり、マスク（イ）は片方の耳掛け部（ハ）が吊り具（ロ）に係止することで吊下げることは出来る。しかし、この吊下げ方では、上方側の耳掛け部（ハ）に負担がかかり、上側に位置する耳掛け部（ハ）は伸びてしまい、乾燥した状態のマスク（イ）の全体形状が変わってしまう。
また、同図の吊下げ方では、下側の耳掛け部（ハ）に水分が溜まり、乾き難くなる。
【０００４】
図６（ａ）はマスク（イ）を２つ折りした状態で吊下げている場合を示している。すなわち、２つ折りした耳掛け部（ハ）、（ハ）は重なり合い、両耳掛け部（ハ）、（ハ）は吊り具（ロ）に係止し、マスク中央部（ニ）が下側となって吊下げられている。
この場合は、両耳掛け部（ハ）、（ハ）には均等な負荷がかかり、前記図５に示す上方側の耳掛け部（ハ）を吊り具（ロ）に係止した場合のように、一方の耳掛け部（ハ）のみが伸びて変形することはないが、マスク中央部（ニ）の下縁付近に水分が溜まり、その為に、下縁付近は乾き難くなる。
また、汚れがマスク中央部（ニ）の下縁付近に溜まり、汚れが残ってしまう。
【０００５】
図６（ｂ）は更なる別形態を示す吊下げ方法を表しているが、両耳掛け部（ハ）、（ハ）をそれぞれの吊り具（ロ）、（ロ）に係止して吊下げられている。このような吊下げ方法では、１つのマスク（イ）に２個の吊り具（ロ）、（ロ）が必要になり、一度に複数のマスク（イ）、（イ）・・・を洗濯して乾燥する時には、広いスペースが必要と成る。
このように、マスク（イ）は小さい物品であるが、洗濯した場合にその乾燥方法には問題がある。
【０００６】
実用新案登録第３１８７７５５号に係る「再利用可能なマスク」は、大気中を浮遊する微小粒子状物質を捕集する機能を有し、洗濯することによって再利用可能としている。
すなわち、超極細繊維により織り込まれた生地によって鼻および口を覆うマスク本体部と、上記マスク本体部を顔面に装着させる装着部とを備える。上記超極細繊維はマイクロファイバーまたはナノファイバーであり、太さが１マイクロメートル以下としている。
【０００７】
実用新案登録第３１９０８５８号に係る「フェイスマスク」は、女性の年齢や疲れなどによりたるんできたフェイスラインを、保湿加工の素材で包み込みフィット性、さらにリフトアップ性を持つフェイスマスクであり、使い捨てではなく洗濯して繰り返し使うことを可能としている。
そこで、フェイスマスクのマスク本体の内側に保湿加工の素材を使用し、個人に合わせて、耳掛部に連結されたゴムベルトの長さをアジャスターによって調節できるものとした。また、保湿加工生地の内側にパワーネットを付け、ゴムベルトで調節して引き上げることにより、顎から頬にかけてのフィット感がえられ、さらにリフトアップ性を有す。
【特許文献１】実用新案登録第３１８７７５５号に係る「再利用可能なマスク」
【特許文献２】実用新案登録第３１９０８５８号に係る「フェイスマスク」
【考案の開示】
【考案が解決しようとする課題】
【０００８】
このようにマスクを洗濯して乾燥する場合、その方法は色々あるが上記のごとき問題がある。本考案が解決しようとする課題はこれら問題点であり、短時間で早く乾燥することが出来、そして乾燥したマスクは変形することなく、シワを作ることなく、また汚れが残ることのないように乾燥する際に使用するハンガーを提供する
【課題を解決するための手段】
【０００９】
本考案に係るマスク用ハンガーは、洗濯したマスクを乾かす場合に吊下げることが出来るハンガーであり、材質としては一般に樹脂が用いられ、金型によって射出成形することが出来る。
マスクはマスク中央部が２つ折りされた状態でハンガーに吊下げられ、この場合、マスク中央部が上側に位置し、両耳かけ部は下側に位置する状態で吊下げることが出来るように構成している。
【００１０】
本考案のマスク用ハンガーは、滑らかに凸状湾曲したマスク係止部を有し、マスク係止部の一方端から屈曲して連結部を上側に形成し、連結部の先端上方にはカギ部を設けている。カギ部はマスク用ハンガーの中央に位置し、カギ部を中心として左右のバランスがとれるように成っている。上記連結部はマスク係止部のほぼ１／２の長さとし、連結部とマスク係止部との間には隙間が形成されている。
マスク中央部は２つ折りされた状態で上記マスク係止部に係止され、両耳掛け部は下側に位置した状態で吊下げられる。すなわち、マスク係止部は２つ折りされたマスク中央部の上縁間に挟まれてマスクを吊下げることが出来る。
【考案の効果】
【００１１】
本考案に係るマスク用ハンガーは、２つ折りしたマスクをマスク係止部に係止して吊下げることが出来る。マスク係止部は凸状に湾曲した形状を成していることで、２つ折りしたマスク中央部の間に挟まれ、上縁になじむことが出来る。
２つ折りしたマスクは凸状に湾曲したマスク係止部と連結部の間に形成される隙間に挿入するだけで簡単に吊下げることが出来、また、凸状に湾曲したマスク係止部に係止することで、マスクは外れ難く安定して吊下げられる。
【００１２】
そして、２つ折りしたマスク中央部にシワを作ることなく吊下げられ、耳掛け部もマスク中央部から真っ直ぐ下方に延びることが出来る。
洗濯されて多くの水分を含んだマスクは、マスク中央部の上縁から水分が下方へ流れ、シワを作ることなく短時間で乾燥することが出来る。
一方、本考案のマスク用ハンガーは薄い板状体であって、その為に多数のマスクを小さい空間内で乾燥することが出来る。
【図面の簡単な説明】
【００１３】
【図１】本考案に係るマスク用ハンガーを示す実施例。
【図２】マスク用ハンガーにマスクを吊下げた状態。
【図３】マスク用ハンガーのマスク係止部にマスクを係止した場合の断面図。
【図４】本考案に係るマスク用ハンガーを示す他の実施例。
【図５】一方の耳掛け部を吊り具に係止してマスクを吊下げた従来の乾燥方法。
【図６】両耳掛け部を吊り具に係止してマスクを吊下げた従来の乾燥方法。
【考案を実施するための形態】
【００１４】
図１は本考案に係るマスク用ハンガー１を示す実施例である。該マスク用ハンガー１は洗濯したマスクを係止して吊下げ、乾燥する為のもので、同図の２はマスク係止部、３は連結部、４はカギ部をそれぞれ表している。
マスク用ハンガー１の製造方法に関しては限定しないが、一般には材質を樹脂製として金型を用いて射出成形することが出来る。
【００１５】
上記マスク係止部２は上方を凸状にして滑らかに湾曲した円弧を成し、一方の先端を屈曲して連結部３を湾曲して延ばし、該連結部３の先端には上記カギ部４を設けている。湾曲した連結部３はマスク係止部２より上側に設けられ、間には隙間５が介在している。カギ部４は連結部３の先端から上方へ延びていて、マスク用ハンガー１のほぼ中間に位置し、洗濯竿などに左右のバランスを保って掛けることが出来る。
【００１６】
図２はマスク６がマスク用ハンガー１を用いて吊下げられている場合を表している。マスク６は２つ折りされ、マスク中央部７の上縁部８が隙間５に嵌ってマスク係止部２に係止することが出来る。
マスク係止部２は滑らかに湾曲し、２つ折りしたマスク６の上縁部８に馴染むことが出来、該マスク６にシワを作ることなく吊下げられる。すなわち、マスク中央部７が上側に位置し、耳掛け部９は下側に垂下して延びる。
【００１７】
２つ折りしたマスク６は上縁部８を隙間５に挿入することで簡単に掛けることが出来、洗濯ハサミのように摘む必要はない。しかも、マスク係止部２は凸状に湾曲していることで、湾曲したマスク係止部２に係止したマスク６は外れ難く、安定する。仮にマスク係止部２は真っ直ぐな部材であれば、マスク中央部７の上縁部８の両側端が載って支持され、その為にマスク６にはシワが発生すると同時に、マスク係止部２から外れ易くなる。
【００１８】
図１、図２に示すマスク用ハンガー１には連結部３とカギ部４との境界にプレート１０を設けていて、該プレート１０には識別できる記号や番号、又は名前を記入するシールを貼り付けることが出来る。一人家族であれば、複数のマスク用ハンガー１，１・・・を用いてマスク６，６・・・を吊下げても何ら問題はないが、複数人が同居する家族であれば、誰のマスクか分からなくなる。
【００１９】
勿論、複数のマスク６，６・・・を洗う際には、個々のマスク６，６・・・ごとに手洗いして、乾燥する場合にはマスク用ハンガー１，１・・・を用いて区別することが出来る。すなわち、上記プレート１０，１０・・・に各自のマスク６，６・・・である旨の記号や番号、又は名前などを表示したシールを貼ることが出来る。
【００２０】
図３はマスク係止部２にマスク６が係止した場合の断面図を表している。マスク中央部７はマスク係止部２を間に挟んで両側に吊下げられ、マスク６にシワを作ることなく短時間で乾燥することが出来る。
このように、マスク中央部７の上縁部８は凸状に湾曲したマスク係止部２に係止することで、マスク中央部７から耳掛け部９にかけて真っ直ぐに延び、狭い範囲内で吊下げることが出来る。
【００２１】
図４は本考案のマスク用ハンガー１を示す他の実施例である。マスク係止部２は滑らかな凸状を成して湾曲しているが、上面１１及び側面１２は凹凸面を形成している。
この上面１１、側面１２にはマスク係止部２に係止したマスク中央部７は凸部のみに接し、凹部との間には隙間が形成され、これら隙間には空気が流れる。その結果、マスク６は短時間で乾燥することが出来る効果が得られる。
【００２２】
一方、図２に示すマスク６は伸縮可能な生地を重ね合わせて構成したものであるが、該マスク６の形状は色々ある。例えば、立体的形状を有すマスク６の形態も色々あり、凸状に湾曲したマスク係止部２に係止するならば、マスク中央部７の上縁部８とマスク係止部２とが一致せず、間に隙間（空間）が形成される。
そこで、マスク係止部２は凸状に湾曲した形状と成っているが、この凸状形状を変形することが出来る樹脂材が用いられている。その為にもマスク係止部２の上面１１及び側面１２に凹凸を形成することにより、曲げ変形し易くなる。
【符号の説明】
【００２３】
１   マスク用ハンガー
２   マスク係止部
３   連結部
４   カギ部
５   隙間
６   マスク
７   マスク中央部
８   上縁部
９   耳掛け部
10   プレート
11   上面
12   側面
【図１】
0003230344.tif 000003
【図２】
0003230344.tif 000004
【図３】
0003230344.tif 000005
【図４】
0003230344.tif 000006
【図５】
0003230344.tif 000007
【図６】
0003230344.tif 000008